(57)【要約】【課題】パネルに残像が残らない表示素子及びその駆動方法を提供する。【解決手段】表示素子は少なくとも一つのインジケータを表示するパネル及び該パネルを駆動するドライバーを含む。ここで、インジケータは、所定の方法で変わる。即ち、第１、２,３表示データを用いてパネル上のインジケータをそれぞれ第１,２,３色によって表示する各段階（Ｓ320，Ｓ340，Ｓ360）を含み、現在の発光状態が保持されているのかを判断し、保持されていない場合、第１ピクセルの発光状態が変わる（Ｓ380）。この結果、本発明の表示素子は、インジケータの色を変えて残像を除去するので、パネルに所定イメージを表示するとき、残像の生成を防止することができる。【選択図】図５
2007079543.tif 000002
【特許請求の範囲】
【請求項１】
少なくとも１つのインジケータを表示するパネルと、該パネルを駆動させるドライバーとを含み、
前記インジケータが所定の方法で変わることを特徴とする表示素子。
【請求項２】
前記インジケータは、一定周期で変わることを特徴とする請求項１に記載の表示素子。
【請求項３】
前記インジケータは、不規則的に変わることを特徴とする請求項１に記載の表示素子。
【請求項４】
前記インジケータの色または形状の少なくとも１つが、変わることを特徴とする請求項１に記載の表示素子。
【請求項５】
前記インジケータは、レッド、グリーン及びブルーの少なくとも２つが組み合わされた色を有することを特徴とする請求項１に記載の表示素子。
【請求項６】
前記インジケータは、前記パネルに表示されるとき、単色を有することを特徴とする請求項１に記載の表示素子。
【請求項７】
前記単色は、レッド、グリーン及びブルーのいずれか一つであることを特徴とする請求項６に記載の表示素子。
【請求項８】
前記パネルは、データラインとスキャンラインとが交差する発光領域に形成された複数のサブピクセルを含むことを特徴とする請求項１に記載の表示素子。
【請求項９】
少なくとも一つのサブピクセルは、基板上に順次に積層されたアノード電極層、有機物層及びカソード電極層を含むことを特徴とする請求項８に記載の表示素子。
【請求項１０】
前記ドライバーは、
スキャン信号を前記スキャンラインに供給するスキャン駆動部と、
前記スキャン信号と同期されたデータ電流を前記データラインに供給するデータ駆動部とを含むことを特徴とする請求項８に記載の表示素子。
【請求項１１】
前記ドライバーは、
複数の表示データを供給するデータ出力部と、
前記データ出力部から供給された表示データを用いて前記スキャン駆動部及び前記データ駆動部を制御する制御部とをさらに含み、
前記データ電流は、前記表示データに対応することを特徴とする請求項１０に記載の表示素子。
【請求項１２】
前記表示データは、レッド光に対応する第１表示データ、グリーン光に対応する第２表示データ、及びブルー光に対応する第３表示データを含むことを特徴とする請求項１１に記載の表示素子。
【請求項１３】
前記インジケータは、前記パネル中の一定領域にのみ表示されることを特徴とする請求項１に記載の表示素子。
【請求項１４】
前記表示素子は、電界発光素子であることを特徴とする請求項１に記載の表示素子。
【請求項１５】
データラインとスキャンラインとが交差する発光領域に形成された複数のサブピクセルを有し、少なくとも一つのインジケータを表示するパネルと、
複数の表示データを出力するデータ出力部と、
前記パネルが前記インジケータを表示するように前記データ出力部から出力された表示データに対応するデータ電流を前記データラインに供給するデータ駆動部とを含み、
前記インジケータの色が、前記表示データによって一定周期で変わることを特徴とする有機電界発光素子。
【請求項１６】
前記有機電界発光素子は、
前記データ出力部から出力された表示データを受信し、前記受信された表示データを用いて前記データ駆動部を制御する制御部と、
前記制御部の制御下にスキャン信号を前記スキャンラインに供給するスキャン駆動部とをさらに含むことを特徴とする請求項１５に記載の有機電界発光素子。
【請求項１７】
前記インジケータは、レッド色、グリーン色またはブルー色を有することを特徴とする請求項１５に記載の有機電界発光素子。
【請求項１８】
少なくとも１つのインジケータを表示するパネルを含む表示素子の駆動方法において、
（ａ）第１表示データを用いて前記パネル上の前記インジケータを、第１色によって表示する段階、
（ｂ）第２表示データを用いて前記パネル上の前記インジケータを、第２色によって表示する段階を含み、
前記第２色は、前記第１色と異なることを特徴とする表示素子駆動方法。
【請求項１９】
前記パネルは、データラインと前記スキャンラインとが交差する発光領域に形成される複数のサブピクセルを含み、
前記段階（ａ）は、
前記第１表示データに対応するデータ電流を前記データラインに供給する段階を含み、
前記段階（ｂ）は、
前記第２表示データに対応するデータ電流を前記データラインに供給する段階を含むことを特徴とする請求項１８に記載の表示素子駆動方法。
【請求項２０】
前記表示素子駆動方法は、
（ｃ）第３表示データを用いて前記パネル上の前記インジケータを、第３色によって表示する段階をさらに含み、
前記第１〜３色は、レッド、グリーン及びブルーであることを特徴とする請求項１８に記載の表示素子駆動方法。
【請求項２１】
前記段階（ａ）、（ｂ）及び（ｃ）は、一定周期で繰り返されることを特徴とする請求項２０に記載の表示素子駆動方法。
【請求項２２】
前記インジケータは、前記パネルの一定領域にのみ表示されることを特徴とする請求項１８に記載の表示素子駆動方法。
【発明の詳細な説明】
【技術分野】
【０００１】
本発明は、表示素子及びその駆動方法に関する。さらに詳しくは、パネルに残像が残らないようにする表示素子及びその駆動方法に関するものである。
【背景技術】
【０００２】
表示素子は所定イメージを表示する。特に、表示素子としての有機電界発光素子は自己発光素子であり、アノード電極層とカソード電極層とが交差する領域に形成される複数のサブピクセルを含む。ここで、各サブピクセルは、基板上に順次に形成されたアノード電極層、有機物層及びカソード電極層を含む。アノード電極層に正の電圧が印加され、カソード電極層に負の電圧が印加される場合、有機物層は、特定波長の光を発する。
【０００３】
最近、有機電界発光素子は、主に、移動通信端末機の表示素子として使われている。ここで、移動通信端末機は、デジタルフォン、セルラーフォン及びパーソナル通信サービス（ＰＣＳ）フォンなど使用者が携帯可能な端末機を意味する。使用者は、このような移動通信端末機を用いて他人と通話することができ、データをも交換することができる。
【０００４】
図１は、一般的な移動通信端末機の表示部を図示した図面である。
図１を参照すると、移動通信端末機の表示部１００は、メイン表示領域１１０とインジケータ領域１２０を含む。
メイン表示領域１１０は、使用者が選択したメニューに対応する各種情報を表示する領域である。
【０００５】
インジケータ領域１２０は、移動通信端末機に対する各種情報、特に、移動通信端末機の現在状態に関する情報を表示する領域である。例えば、インジケータ領域１２０には、図１に示されるようにアンテナ、振動状態設定の有無、文字メッセージ受信の可否、バッテリーの残量などを表示するインジケータが表示される。
【０００６】
このようなインジケータ領域１２０では、使用者のメニュー選択によって、随時イメージが変わるメイン表示領域１１０と違ってインジケータとしてイメージが変わらない。このように、イメージに対応するピクセルが続けて発光する場合、ピクセルの性能が低下して寿命が短くなる。
【０００７】
図２は、図１の表示部に発生する残像を図示した図面である。
図２に示されるように、インジケータとして同じイメージが継続的に表示されるので、所定時間が経過する場合、インジケータ領域１２０に残像１３０が残る。
【０００８】
移動通信端末機が第１モードのとき、メイン表示領域１１０は第１イメージを表示し、インジケータ領域１２０は第２イメージを表示する。その後、第１モードが第２モードに転換されたとき、インジケータ領域１２０とメイン表示領域１１０に別途のイメージが表示されずに、表示部１００は、全体的に一つのイメージが表示され得る。例えば、カメラモードに転換したとき、表示部１００の全体領域が一つのイメージを表示する。
【０００９】
上述のように、インジケータに対応するイメージが変化無しに継続的に表示されるので、インジケータ領域１２０の第１サブピクセルと表示領域１１０の第２サブピクセルが同じ輝度を有するように、プリセットされているにもかかわらず、第１サブピクセルが第２サブピクセルに比べて低輝度で発光する。結果的に、インジケータ領域１２０に表示されたイメージの残像１３０が、図２に示されるように表示素子１００に表示される。従って、インジケータに対応する特定サブピクセルの効率が低下しない表示素子が求められる。また、残像が残らない表示素子が求められる。
【発明の開示】
【発明が解決しようとする課題】
【００１０】
本発明の目的は、パネルに残像が残らないようにした表示素子及びその駆動方法を提供することにある。
【課題を解決するための手段】
【００１１】
上記のような目的を達成するために、本発明の好ましい一実施形態に係る表示素子は、少なくとも一つのインジケータを表示するパネル及び前記パネルを駆動するドライバーを含む。ここで、インジケータは所定の方法で変わる。
【００１２】
本発明の一実施形態に係る有機電界発光素子は、パネル、データ出力部及びデータ駆動部を含む。前記パネルは、データラインとスキャンラインとが交差する発光領域に形成された複数のサブピクセルを有し、少なくとも一つのインジケータを表示する。前記データ出力部は、複数の表示データを出力する。前記データ駆動部は、前記パネルが前記インジケータを表示するように前記データ出力部から出力された表示データに対応するデータ電流を前記データラインに供給する。ここで、前記インジケータの色は、前記表示データによって一定周期で変わる。
【００１３】
本発明の好ましい一実施形態に係る少なくとも一つのインジケータを表示するパネルを含む表示素子を駆動する方法は、（ａ）第１表示データを用いて前記パネル上の前記インジケータを、第１色によって表示する段階、及び（ｂ）第２表示データを用いて前記パネル上の前記インジケータを、第２色によって表示する段階を含む。ここで、前記第２色は前記第１色と異なる。
【００１４】
本発明に係る表示素子及びその駆動方法は、パネルに所定イメージを表示するとき、残像が残ることを防止できる。
また、本発明に係る表示素子及びその駆動方法は、特定ピクセルが長時間同じイメージを表示することを防止し、前記ピクセルの性能が低下することを防止することができる。
【発明の効果】
【００１５】
以上のように、本発明に係る表示素子及びその駆動方法は、インジケータを所定パターンに変えるので、残像がパネルに発生せずに、インジケータに対応するピクセルの性能の低下を防止できる長所がある。
【発明を実施するための最良の形態】
【００１６】
以下では、添付図面を参照して、本発明に係る有機電界発光素子及びその駆動方法の好ましい実施形態を詳細に説明する。
図３は、本発明の好ましい一実施形態に係る表示素子を図示した図面であり、図４は、図３のサブピクセルに供給されるスキャン信号を図示したタイミング図である。
【００１７】
図３を参照すると、本発明の表示素子は、パネル２００及びドライバーを含む。ここで、ドライバーはスキャン駆動部２１０、データ出力部２２０、制御部２３０、及びデータ駆動部２４０を含む。
【００１８】
本発明の好ましい一実施形態に係る表示素子は、有機電界発光素子、ＰＤＰ（プラズマディスプレイパネル）、ＬＣＤ（液晶ディスプレイ）などを含む。但し、以下では、説明の便宜のために有機電界発光素子を例えて説明する。
パネル２００は、データラインＤ１〜ＤｍとスキャンラインＳ１〜Ｓｎとが交差する発光領域に形成される複数のサブピクセルＥ１１〜Ｅｍｎを含む。
【００１９】
各サブピクセルＥ１１〜Ｅｍｎは、基板上に順次に積層されたアノード電極層、有機物層及びカソード電極層からなる。アノード電極層に正の電圧が印加され、カソード電極層に負の電圧が印加されたとき、アノード電極層とカソード電極層との交差領域に形成されるサブピクセルは所定波長の光を発する。
【００２０】
サブピクセルＥ１１〜Ｅｍｎは、Ｎ（２つ以上の整数）個単位で一つのピクセルを形成する。例えば、１個のピクセルは、レッド光を発する第１サブピクセル、グリーン光を発する第２サブピクセル及びブルー光を発する第３サブピクセルからなる。この場合、第１〜３サブピクセルは順次に位置する。他の例として、１個のピクセルは、レッド光をする第１サブピクセル、グリーン光を発する第２サブピクセル、ブルー光を発する第３サブピクセル及びホワイト光を発する第４サブピクセルからなる。
【００２１】
データ出力部２２０は、制御部２３０に表示データ、例えば、ＲＧＢデータを供給する。詳しくは、データ出力部２２０は、各ピクセル中の特定領域に位置する第１ピクセルを所定パターンに変える表示データを制御部２３０に与える。
【００２２】
本発明の一実施形態によると、特定領域は移動通信端末機の表示部中のインジケータ領域である。ここで、インジケータ領域は、アンテナ、バッテリー残量などのような移動通信端末機の状態情報を供給するインジケータを表示する領域である。ここで、インジケータが移動通信端末機の状態情報を表示する限り、インジケータの形状または色相などが変更され得る。
【００２３】
制御部２３０は、データ出力部２２０から供給された表示データによってスキャン駆動部２１０及びデータ駆動部２４０を制御する。
【００２４】
スキャン駆動部２１０は、制御部２３０の制御下に、図４に示されるように、スキャンラインＳ１〜Ｓｎにスキャン信号ＳＰ１〜ＳＰｎをそれぞれ供給する。詳しくは、スキャン駆動部２１０は、それぞれ低論理領域と高論理領域とを有するスキャン信号ＳＰ１〜ＳＰｎをスキャンラインＳ１〜Ｓｎに供給する。但し、サブピクセルＥ１１〜Ｅｍｎは、スキャン信号ＳＰ１〜ＳＰｎの低論理領域で発光する。
【００２５】
データ駆動部２４０は、制御部２３０の制御下に、表示データに対応するデータ電流をデータラインＤ１〜Ｄｍにそれぞれ供給する。ここで、データ電流は、スキャン信号ＳＰ１〜ＳＰｎに同期されている。
【００２６】
以下、第１ピクセルの駆動方法に対して、第１スキャンラインＳ１に対応するピクセルを例えて詳述する。
【００２７】
第１スキャンラインＳ１に対応するピクセルＥ１１〜Ｅｍ１中の第１サブピクセルＥ１１はレッドＲ光を発し、第２サブピクセルＥ２１はグリーンＧ光を発し、第３サブピクセルＥ３１はブルーＢ光を発する。以下、第１、２、３サブピクセルＥ１１、Ｅ２１、E３１を第１ピクセル中の一つの第１−１ピクセルを構成すると仮定する。
【００２８】
図５は、図３の表示素子に含まれた複数のピクセル中の第１ピクセルの駆動方法を図示した流れ図である。
まず、発光開始コマンドがデータ出力部２２０に供給される（Ｓ３００）。
【００２９】
次いで、データ出力部２２０は、発光開始コマンドによって第１ピクセルを駆動するための第１表示データを制御部２３０に入力する（Ｓ３１０）。
第１表示データは、第１−１ピクセル中の第１サブピクセルだけを発光するように構成する。
【００３０】
続いて、データ駆動部２４０は、制御部２３０の制御下に第１表示データに対応するデータ電流をデータラインＤ１〜Ｄｍに供給する。即ち、第１データラインＤ１には、データ電流が供給され、第２、第３データラインＤ２、Ｄ３にはデータ電流が供給されない。
【００３１】
これにより、第１スキャン信号ＳＰ１が第１スキャンラインＳ１に供給されるとき、第１サブピクセルＥ１１は発光するか、第２サブピクセルＥ２１及び第３サブピクセルＥ３１は発光しない。その結果、第１−１ピクセルは、全体的にレッド光を発する（Ｓ３２０）。
【００３２】
続いて、データ出力部２２０は、第１ピクセルを駆動するための第２表示データを制御部２３０に入力する（Ｓ３３０）。ここで、第２表示データは、第１−１ピクセル中の第２サブピクセルＥ２１だけが発光するように構成する。
【００３３】
次いで、データ駆動部２４０は、制御部２３０の制御下に、第２表示データに対応するデータ電流をデータラインＤ１〜Ｄｍに供給する。即ち、第２データラインＤ２には、データ電流が供給され、第１、第３データラインＤ１、Ｄ３には、データ電流が供給されない。これにより、第１スキャン信号ＳＰ１が第１スキャンラインＳ１に供給されるとき、第２サブピクセルＥ２１は発光するが、第１サブピクセルＥ１１及び第３サブピクセルＥ３１は発光しない。その結果、第１−１ピクセルは全体的にグリーン光を発する（Ｓ３４０）。
【００３４】
続いて、データ出力部２２０は、第１ピクセルを駆動するための第３表示データを制御部２３０に入力する（Ｓ３５０）。第３表示データは、第１−１ピクセルの中、第３サブピクセルだけを発光するように構成する。
【００３５】
次いで、データ駆動部２４０は、制御部２３０の制御下に、第３表示データに対応するデータ電流をデータラインＤ１〜Ｄｍに供給する。即ち、第３データラインＤ３には、データ電流が供給され、第１、第２データラインＤ１、Ｄ２には、データ電流が供給されない。これにより、第１スキャン信号ＳＰ１が第１スキャンラインＳ１に供給されるとき、第３サブピクセルＥ３１は発光するが、第１サブピクセルＥ１１及び第２サブピクセルＥ２１は発光しない。その結果、第１−１ピクセルは、全体的にブルー光を発する（Ｓ３６０）。
【００３６】
続いて、第１ピクセルの現在発光状態が保持されているかの可否が判断される（Ｓ３７０）。即ち、インジケータ領域にインジケータが続けて表示されるかの可否が判断される。判断結果、第１ピクセルの現在の発光状態が保持される場合、段階（Ｓ３１０）に戻り、第１、２及び３表示データに応じて第１ピクセルを順次に発光する過程を繰り返す。
【００３７】
一方、第１ピクセルの現在の発光状態が保持されない場合、第１ピクセルの発光状態が変わる（Ｓ３８０）。例えば、移動通信端末機のモードが第１モードから第２モードに転換され、それにより、インジケータ領域とメイン表示領域とを含む表示部全体に一つのイメージが表示されるとき、第１ピクセルはイメージに対応して発光する。
【００３８】
上記では、第１ピクセルがレッド、グリーン及びブルー中の一つの色だけを発光したが、本発明の他の実施形態に表示素子において、第１ピクセルはレッド、グリーン及びブルー中の少なくとも２つの色が組み合わせて形成された色を発光しうる。
【００３９】
もちろん、第１ピクセルがレッド、グリーン、ブルー及びホワイトに対応する４個のサブピクセルを含む場合には、第１ピクセルは、レッド、グリーン、ブルー及びホワイト中の一つの色だけを発光するか、レッド、グリーン、ブルー及びホワイト中の少なくとも２つの色を組み合わせて形成された色を発光しうる。
【００４０】
上記説明のように、本発明の表示素子は、インジケータの色を所定方法を用いて変えられる。好ましくは、表示素子はインジケータの色を所定周期で変えられる。
本発明の他の実施形態に係る表示素子はインジケータの形状を変えて残像を除去することができる。
【００４１】
以上の本発明は、例示の目的のために開示されたものであり、本発明に対する通常の知識を有した当業者であれば、本発明の思想と範囲内で様々な修正、変更、付加が可能である。従って、このような修正、変更及び付加は本発明の特許請求の範囲に属するものである。
【図面の簡単な説明】
【００４２】
【図１】一般的な移動通信端末機の表示部を図示した図である。
【図２】図１の表示部に発生する残像を示す図である。
【図３】本発明の好ましい一実施形態に係る有機電界発光素子を示した図である。
【図４】図３のサブピクセルに供給されるスキャン信号を示したタイミング図である。
【図５】図３の有機電界発光素子における複数のピクセル中の第１ピクセルの駆動方法を示した流れ図である。
【符号の説明】
【００４３】
２００  パネル
２１０  スキャン駆動部
２２０  データ出力部
２３０  制御部
２４０  データ駆動部
Ｄ１〜Ｄｍ  データライン
Ｅ１１〜Ｅｍｎ  サブピクセル
Ｓ１〜Ｓｎ  スキャンライン
【図１】
2007079543.tif 000003
【図２】
2007079543.tif 000004
【図３】
2007079543.tif 000005
【図４】
2007079543.tif 000006
【図５】
2007079543.tif 000007